(57)【要約】      （修正有）【課題】映像情報記録再生装置を起動する前に、ユーザーが起動のために行うリモコンや本体へのアクセス動作を検知して起動準備を開始し、起動が完了するまでの時間を短縮する。また、映像情報記録再生装置に対する操作は、従来と同じであるとユーザーに感じられる操作とする。【解決手段】映像情報記録再生システムは、リモコン２へのユーザーの接触や本体の映像情報記装置１０１へのユーザーの接近を検知し、検知信号受信記憶部の記憶と受信前電源状態記憶部の記憶にもとづいて電源の操作を行う。これにより、従来と同じ手順で、映像情報記録再生システムを従来よりも早く起動させることができる。【選択図】図１２
2010140520.tif 000002
【特許請求の範囲】
【請求項１】
映像情報記録再生装置およびこれを遠隔操作する遠隔操作装置で構成される映像情報記録再生システムであって、
前記遠隔操作装置は、
ユーザーの当該遠隔操作装置への接触を検知する検知手段と、
前記検知手段が前記接触を検知したことを示す検知信号を前記映像情報記録装置に送信する送信手段とを備え、
前記映像情報記録再生装置は、
前記遠隔操作装置から送信された前記検知信号を受信する受信手段と、
前記検知信号を受信したことを記憶する検知信号受信記憶手段と、
前記受信手段が前記検知信号を受信したときに、前記検知信号を受信する前の前記映像情報記録再生装置の電源の状態がオンまたはオフのいずれであるかを記憶する受信前電源状態記憶手段とを備え、
前記検知信号受信記憶手段と前記受信前電源状態記憶手段の記憶にもとづいて前記映像情報記録再生装置の電源を操作することを特徴とする映像情報記録再生システム。
【請求項２】
前記検知信号受信記憶手段が前記検知信号を受信したことを記憶している状態で、前記受信前電源状態記憶手段の記憶が電源オンである場合は前記映像情報記録再生装置の電源オン状態を維持し、前記受信前電源状態記憶手段の記憶が電源オフである場合は前記遠隔操作装置の電源をオン状態とすることを特徴とする請求項１に記載の映像情報記録再生システム。
【請求項３】
前記映像情報記録再生装置は、前記検知信号を受信したことを前記検知信号受信記憶手段が記憶した時点を起点として経過時間の計測を開始し、所定の経過時間まで前記遠隔操作装置および映像情報記録再生装置の操作がない場合には、前記検知信号受信記憶手段の記憶および前記受信前電源状態記憶手段の記憶を消去するとともに、電源を前記検知信号受信前の状態に戻すことを特徴とする請求項１または請求項２のいずれかに記載の映像情報記録再生システム。
【請求項４】
前記映像情報記録再生装置は、前記検知信号を受信したことを前記検知信号受信記憶手段が記憶した時点を起点として経過時間の計測を開始し、所定の経過時間内に前記遠隔操作装置および映像情報記録再生装置の操作がある場合には、操作された時点で前記検知信号受信記憶手段の記憶および前記受信前電源状態記憶手段の記憶を消去することを特徴とする請求項１または請求項２のいずれかに記載の映像情報記録再生システム。
【請求項５】
前記受信前電源状態記憶手段の記憶が電源オフであって、所定の経過時間内の前記遠隔操作装置または前記映像情報記録再生装置の操作が電源のオンまたはオフの操作である場合、電源のオンまたはオフの操作を実行しないことを特徴とする請求項４に記載の映像情報記録再生システム。
【請求項６】
前記所定の経過時間内に、前記遠隔操作装置および映像情報記録再生装置の操作がない状態で検知信号を再度受信した場合には、前記経過時間を零にリセットする手段を備えていることを特徴とする請求項３または請求項４のいずれかに記載の映像情報記録再生システム。
【請求項７】
前記遠隔操作装置は、前記検知手段の動作を実行または停止する選択手段を備えていることを特徴とする請求項１または請求項２のいずれかに記載の映像情報記録再生システム。
【請求項８】
前記映像情報記録再生装置は、前記検知信号受信記憶手段と前記受信前電源状態記憶手段の一方もしくは両方の動作を実行または停止する選択手段を備えていることを特徴とする請求項１または請求項２のいずれかに記載の映像情報記録再生システム。
【請求項９】
映像情報記録再生装置およびこれを遠隔操作する遠隔操作装置で構成される映像情報記録再生システムであって、
前記映像情報記録再生装置は、
所定の距離の範囲内へのユーザーの接近を検知する人感センサと、
前記人感センサが前記接近を検知したことを示す検知信号を受信したことを記憶する検知信号受信記憶手段と、
前記受信手段が前記検知信号を受信したときに、前記検知信号を受信する前の前記映像情報記録再生装置の電源の状態がオンまたはオフのいずれであるかを記憶する受信前電源状態記憶手段とを備え、
前記検知信号受信記憶手段と前記受信前電源状態記憶手段の記憶にもとづいて前記映像情報記録再生装置の電源を操作することを特徴とする映像情報記録再生システム。
【請求項１０】
前記検知信号受信記憶手段が前記検知信号を受信したことを記憶している状態で、前記受信前電源状態記憶手段の記憶が電源オンである場合は前記映像情報記録再生装置の電源オン状態を維持し、前記受信前電源状態記憶手段の記憶が電源オフである場合は前記遠隔操作装置の電源をオン状態とすることを特徴とする請求項９に記載の映像情報記録再生システム。
【請求項１１】
前記映像情報記録再生装置は、前記検知信号を受信したことを前記検知信号受信記憶手段が記憶した時点を起点として経過時間の計測を開始し、所定の経過時間まで前記遠隔操作装置および映像情報記録再生装置の操作がない場合には、前記検知信号受信記憶手段の記憶および前記受信前電源状態記憶手段の記憶を消去するとともに、電源を前記検知信号受信前の状態に戻すことを特徴とする請求項９または請求項１０のいずれかに記載の映像情報記録再生システム。
【請求項１２】
前記映像情報記録再生装置は、前記検知信号を受信したことを前記検知信号受信記憶手段が記憶した時点を起点として経過時間の計測を開始し、所定の経過時間内に前記遠隔操作装置または映像情報記録再生装置の操作がある場合には、操作された時点で前記検知信号受信記憶手段の記憶および前記受信前電源状態記憶手段の記憶を消去することを特徴とする請求項９または請求項１０のいずれかに記載の映像情報記録再生システム。
【請求項１３】
前記受信前電源状態記憶手段の記憶が電源オフであって、所定の経過時間内の前記遠隔操作装置または前記映像情報記録再生装置の操作が電源のオンまたはオフの操作である場合、電源のオンまたはオフの操作を実行しないことを特徴とする請求項１２に記載の映像情報記録再生システム。
【請求項１４】
前記所定の経過時間内に、前記遠隔操作装置および映像情報記録再生装置の操作がない状態で検知信号を再度受信した場合には、前記経過時間を零にリセットする手段を備えていることを特徴とする請求項１１または請求項１２のいずれかに記載の映像情報記録再生システム。
【請求項１５】
前記人感センサの動作を実行または停止する選択手段を備えていることを特徴とする請求項９または請求項１０のいずれかに記載の映像情報記録再生システム。
【請求項１６】
前記映像情報記録再生装置は、前記検知信号受信記憶手段と前記受信前電源状態記憶手段の一方もしくは両方の動作を実行または停止する選択手段を備えていることを特徴とする請求項９または請求項１０のいずれかに記載の映像情報記録再生システム。
【発明の詳細な説明】
【技術分野】
【０００１】
この発明は、映像情報の記録または再生、あるいは記録および再生を行う映像情報記録再生システムに関するものである。
【背景技術】
【０００２】
従来、映像情報記録再生装置は、遠隔操作装置（以下、リモコン）による電源オンの操作指示、映像情報記録再生装置の本体電源スイッチの操作や光ディスクのトレイオープンの操作などで電源がオンしていた。その際、電源がオン状態となってから実際に映像情報記録再生装置が使用可能となるまでには、装置が安定するための時間が必要である。リモコンをユーザーが操作する場合は、まず、リモコンを手に取った後に操作したいボタンを探し、その次に操作ボタンを押すという作業になる。この作業は、個人差もあるが通常数秒を要する。
【０００３】
したがって、リモコンにユーザーが接触した時点から、映像情報記録再生装置が起動することが可能であれば、起動までの時間が短縮され、より短時間で装置を使用可能な状態にすることができる。また、映像情報記録再生装置に光ディスクなどの記録メディアを装着して使用する場合、ユーザーがリモコン操作をせずに映像情報記録再生装置を直接操作することがある。この場合、ユーザーの映像情報記録再生装置への接近を検知した時点から映像情報記録再生装置の起動が可能であれば、起動までの時間が短縮され、より短時間で装置を使用可能な状態にすることができる
【０００４】
これらの点に着目し、リモコンの傾きを検知してリモコンから電源制御アダプタへ電源オンを示す信号を送信し、それに接続された機器に電源を供給する技術が開示されている。また、人体が検知された場合に、人体検知手段がリモコン（リモートコントローラー）へ人体検知信号を送信し、この人体検知信号に基づきリモコンが電源制御アダプタへ電源オンを示す信号を送信する技術が開示されている。（特許文献１参照）
【０００５】
また、リモコンの傾きを検知して電源をオンする操作信号をリモコンから表示装置に送信し、その信号を受信した表示装置が電源をオンすると同時に黒ミュート信号を映像情報に重畳し、電源オン状態でありながら表示装置は黒表示とする方法が開示されている。この技術により、表示装置の立ち上がり時間を短縮できるとともに、ユーザーから意識されずに電源をオンにすることができる。（特許文献２参照）
【特許文献１】特開２０００−３７０４５
【特許文献２】特開２００７−８８７５３
【発明の開示】
【発明が解決しようとする課題】
【０００６】
上記特許文献１に記載の発明では、傾きを検知した際のリモコンからの操作信号により電源制御アダプタを介して電源のオン／オフを制御するが、リモコンが過去の操作内容を記憶しており、この記憶状態から既に電源制御アダプタに電源オンを指示する操作信号が送信されていて電源制御アダプタが電源オン状態であると判断できる場合には、電源オンの操作信号を送信しない。したがって、リモコンにおける過去の操作内容の記憶が誤りである場合、電源がオンしないという問題点がある。また、人体検知信号に基づきリモコンが電源制御アダプタへ電源オンを示す信号を送信する方法では、ユーザーが電源制御アダプタの電源をオンする以外の目的で人体検知手段に近づいても電源がオンするという問題点がある。
【０００７】
上記特許文献２に記載の発明では、表示装置が電源オン状態である場合にもリモコンの傾きを検知して電源オン操作信号を送信するが、一定期間リモコンは操作されない場合は表示装置が電源オフになる。これを回避する方法として、機器側電源がオンとオフのいずれの状態であるかの情報をリモコン側が認識し、これに基づいて電源オン操作信号を送信するか否かを決定する方法が記載されている。
【０００８】
しかし、これを実施するには、機器の電源がオンであるかどうかの情報をリモコンが入手する必要があるため、リモコンは双方向通信する、あるいは操作履歴を記憶する等の機能が必要である。しかし、前者の双方向通信では、通信不良の影響で誤った電源状態をリモコンが認識する場合がある。また、後者の操作履歴を記憶する方法では、機器の電源の状態が直接には把握できないため、誤った電源状態を記憶する場合がある。このような場合、一定期間リモコンが操作されなければ、映像情報記録再生装置の電源オン状態を維持すべきであるにもかかわらず機器の電源オフの操作信号を送信し、電源がオフになるという問題点がある。
【課題を解決するための手段】
【０００９】
この発明は上記の課題を解決するためになされたものであり、この発明に係る映像情報記録再生システムは、映像情報記録再生装置およびこれを遠隔操作する遠隔操作装置で構成される映像情報記録再生システムであって、前記遠隔操作装置は、ユーザーの当該遠隔操作装置への接触を検知する検知手段と、前記検知手段が前記接触を検知したことを示す検知信号を前記映像情報記録装置に送信する送信手段とを備え、前記映像情報記録再生装置は、前記遠隔操作装置から送信された前記検知信号を受信する受信手段と、前記検知信号を受信したか否かのいずれであるかを記憶する検知信号受信記憶手段と、前記受信手段が前記検知信号を受信したときに、前記検知信号を受信する前の前記映像情報記録再生装置の電源の状態がオンまたはオフのいずれであるかを記憶する受信前電源状態記憶手段とを備え、前記検知信号受信記憶手段と前記受信前電源状態記憶手段の記憶にもとづいて前記映像情報記録再生装置の電源を操作する映像情報記録再生システムである。
【００１０】
また、この発明に係る映像情報記録再生システムは、映像情報記録再生装置およびこれを遠隔操作する遠隔操作装置で構成される映像情報記録再生システムであって、前記映像情報記録再生装置は、所定の距離の範囲へのユーザーの接近を検知する人感センサと、前記人感センサが前記接近を検知したことを示す検知信号を受信する受信手段と、前記検知信号を受信したか否かのいずれであるかを記憶する検知信号受信記憶手段と、前記受信手段が前記検知信号を受信したときに、前記検知信号を受信する前の前記映像情報記録再生装置の電源の状態がオンまたはオフのいずれであるかを記憶する受信前電源状態記憶手段とを備え、前記検知信号受信記憶手段と前記受信前電源状態記憶手段の記憶にもとづいて前記映像情報記録再生装置の電源を操作する映像情報記録再生システムである。
【００１１】
さらに、この発明に係る映像情報記録再生システムは、前記検知信号受信記憶手段が前記検知信号を受信したことを記憶している状態で、前記受信前電源状態記憶手段の記憶が電源オンである場合は前記映像情報記録再生装置の電源オン状態を維持し、前記受信前電源状態記憶手段の記憶が電源オフである場合は前記遠隔操作装置の電源をオン状態とする映像情報記録再生システムである。
【発明の効果】
【００１２】
この発明によれば、ユーザーがリモコンに接触したことを検知した際に、検知信号を映像情報記録装置に送信し、映像情報記録装置がリモコンからの検知信号を受信した際に、
検知信号を受信したか否かのいずれであるかの記憶と、受信前の映像情報記録再生装置の電源の状態がオンまたはオフのいずれであるかの記憶にもとづいて映像情報記録再生装置の電源を操作する。したがって、リモコンは操作内容を記憶しないため、リモコンにおける過去の操作内容の記憶が誤りである場合に電源がオンしないという事態を回避できるという効果がある。
【００１３】
また、この発明によれば、ユーザーの映像情報記録再生装置への接近を人感センサで検知し、その検知信号にもとづいて映像情報記録再生装置の電源を操作する映像情報記録再生システムにおいて、映像情報記録再生装置が検知信号を受信した際に、検知信号を受信したか否かのいずれであるかの記憶と、受信前の映像情報記録再生装置の電源の状態がオンまたはオフのいずれであるかの記憶にもとづいて映像情報記録再生装置の電源を操作する。したがって、その後の一定時間経過時まで何らかの操作がない場合に、受信前の映像情報記録再生装置の電源状態を参照することで検知信号受信前の電源の状態に復帰させることが可能である。そのため、例えばユーザーが電源をオンする以外の目的で人感センサに近づいても、一定期間後には電源がオフされ、映像情報記録再生装置はユーザーが近づく前の状態に戻るため、ユーザーが電源制御アダプタの電源をオンする以外の目的で人感センサに近づいても、そのあとユーザーが遠ざかれば電源がオフするという効果がある。
【００１４】
この発明によれば、検知信号を受信した時点を起点として経過時間の計測を開始し、所定の経過時間まで遠隔操作装置および映像情報記録再生装置の操作がない場合には、映像情報記録再生装置の電源を検知信号受信前の状態に復帰させる。そのため、一定期間リモコンが操作されなければ、映像情報記録再生装置の電源オン状態を維持すべきであるにもかかわらず電源がオフになるという問題を解消できるという効果がある。
【発明を実施するための最良の形態】
【００１５】
実施の形態１．
図１は、本発明の実施の形態１による映像情報記録再生システムの構成例を示す図である。映像情報記録再生システムは、映像情報記録再生装置１と遠隔操作装置（以下、リモコン）２で構成される。映像情報記録再生装置１には、映像表示装置９が接続されている。映像表示装置９がデジタル映像表示装置であって、映像情報記録再生装置ＳＣＡＲＴケーブルやＨＤＭＩケーブルで接続されている場合、通常、映像情報記録再生装置１の電源オン・オフに呼応して映像表示装置９の電源がオン・オフする設定が可能である。
【００１６】
リモコン２には、映像情報記録再生装置１の電源オン・オフ、再生、記録、音量、チューナー制御、接続された映像表示装置９の電源オン・オフ制御、リンク機能制御など種々の機能を操作するための操作部２４（符号は図示せず）として操作ボタンが設置されている。また、表示画面４が設置されている場合もある。さらに、表示画面４にタッチセンサが備えられている場合もある。
【００１７】
ユーザーがリモコン２の操作部２４の操作ボタンや表示画面４のタッチセンサを押すことにより、リモコン２は映像情報記録再生装置１の操作に必要な操作信号を送信する。映像情報記録再生装置１は、この操作信号を受信し、操作信号に従って動作する。リモコンと本体の通信手段としては、赤外線を利用する方法、微弱電波を利用する方法などがある。赤外線を利用する方法では光をさえぎる障害物があると通信が途絶えることがある。一方、微弱電波を利用する方法では障害物の影響は回避できるが、同一周波数の微弱電波を別の機器が利用している場合、通信障害を起こすことがある。
【００１８】
本発明では、ユーザーがリモコン２を操作する意思があるときに、そのことをリモコンが認識して映像情報記録再生装置１の電源をオンにすることを実現させるため、図２に示すように、ユーザーがリモコンを操作する意思がある場合によく接触するリモコン２の特定箇所に接触センサ３を設置し、この接触センサ３によってユーザーの接触を検知する。この方法は、リモコンの傾きや位置の変化をセンサで捉えるよりも直接的であり、リモコンの傾きや位置の変化がない場合でもリモコン２を操作したことが検知できるという利点がある。
【００１９】
接触センサ３の設置箇所の例としては、図２−ａのようなリモコン２の側面、図２−ｂのような側上面エッジ部分、側底面エッジ部分などがある。接触センサ３はこれらの箇所に全面、一部、あるいは点在させて設置する。表示画面４がタッチパネル付表示画面である場合は、図２−ｃのようにタッチパネルを上面側端や側上端あるいは横側端まで延長することで、タッチパネルの一部を接触センサとすることも可能である。さらに、図２−ｄのようにリモコン筐体にクビレを持たせて握りやすくし、そこに接触センサを設置することもできる。
【００２０】
図３は、図１に示したリモコン２の内部構成例を示すブロック図である。リモコン２は、接触センサ３でユーザーの接触を検知すると、所定時間の計測を完了（以下、タイムアップ）するまでの時間を予め設定されたタイマ２２を検知と同時に制御部２１が起動させ、送信部２３が検知信号を映像情報記録再生装置１に送信する。タイムアップするまでの時間は、ユーザーが操作部２４でリモコン２を操作する意思がないと判断できる時間、例えば３０秒に設定する。
【００２１】
接触センサ３は、ユーザーのリモコン操作ではなく、ユーザー以外の物体が接触したり、ユーザーがリモコン２を持ち続けたりすることによって、接触センサ３に物体やユーザーが接触した状態が継続される場合がある。その場合、リモコン２が接触の検知信号を送信し続けることを避けるため、また、受信ミスを防ぐため、送信回数を所定の回数（例えば５回）に設定する。
【００２２】
さらに、接触の検知時に検知信号を所定回数送信すると、その後は接触センサ３の動作を一旦無効とし、タイマ２２のタイムアップの時間を経過した後に接触センサ３がリセットされて、接触センサの動作が有効となる構成が望ましい。無効とする方法は、センサ信号を無視する方法やセンサの動作を停止する方法がある。
【００２３】
図４は、本発明のリモコン２の動作例を説明するためのフロー図である。まず、リモコン２は、接触センサ３を有効化（Ｓ１）した後に、接触センサ３が接触を検知したかどうかを判定し（Ｓ２）、接触を検知した場合（ＹＥＳの場合）、リモコン２のタイマ２２をリセットしてカウントを開始し（Ｓ３）、接触センサ３を無効化する（Ｓ４）。
【００２４】
次に、リモコン２は、接触を検知したことを示す検知信号を映像情報記録再生装置１に送信する（Ｓ５）。その後、送信回数が設定回数に達したかどうかを判定し（Ｓ６）する。ここで、設定回数は予め設定される値であり、検知信号を１回だけ送信する場合は設定回数を１とし、複数回送信する場合は設定回数を２以上とする。
【００２５】
Ｓ６において設定回数に達していない場合（ＮＯ）、若干の時間、例えば０．１秒間、処理を休止し（Ｓ７）、その後に接触信号を再度送信する（Ｓ６）。設定回数に達すれば（ＹＥＳ）、タイマ２２がカウントアップしたかどうかを判定し（Ｓ８）、カウントアップしていない場合（ＮＯ）さらに、リモコン操作があったかどうかをリモコン２の記憶部２５の記憶にもとづいて判定する（Ｓ９）。リモコン操作がなければＳ８に戻り、操作があれば（ＹＥＳ）上記の一連の処理を終了する。また、Ｓ８でタイマ２２がカウントアップしたと判断された場合も（ＹＥＳ）同様に終了する。終了した後、上記の一連の処理を再び開始する。
【００２６】
図５は、図１に示した映像情報記録再生装置１の内部構成例を示すブロック図である。
映像情報記録再生装置１の受信部３１で検知信号を受信すると、制御部３２が検知信号を受信したことを検知信号受信記憶部３４に記憶させ、検知信号受信前の電源３３の状態を受信前電源状態記憶部３５に記憶させる。さらに、予めタイムアップするまでの時間を設定されたタイマ３６を零に初期化してから動作させて経過時間の計測を開始する。タイマ３６のタイムアップの時間は、リモコン２の状態を把握するためリモコン２のタイマ２２のタイムアップ時間より長い時間、例えばリモコン２のタイマ２２のタイムアップ時間が３０秒の場合には、これよりも長い時間である３５秒に設定される。
【００２７】
検知信号を受信したとき、受信前に電源３３がオフである場合は制御部３２が電源３３をオンにし、受信前に電源３３がオンの場合は制御部３２が電源３３のオン状態を維持する。
【００２８】
電源３３がオン状態になると、装置主要部４１に電源が供給され、装置主要部４１の光ディスクドライブ４２、ＨＤＤ（ハードディスクドライブ）４３、映像情報処理部４４、バッファメモリ４５、外部装置入出力部４６、チューナー部４７の動作が可能になる。
【００２９】
その後、タイマ３６のタイムアップ時までに、リモコン２の操作も映像情報記録再生装置１の操作もない場合、制御部３２は電源３３を検知信号受信前の状態に復帰させる。すなわち、検知信号受信前に、電源オンの場合は電源オンを維持し、電源オフの場合は電源をオフする。さらに、検知信号受信記憶部３４と受信前電源状態記憶部３５の記憶を消去し、タイマ３６を初期化して止める。すなわち、経過時間を零にリセットして経過時間の計測を停止する。
【００３０】
タイマ３６のタイムアップ時までにリモコン２または映像情報記録再生装置１の操作があって、その操作が電源操作である場合、検知信号受信前の電源の状態がオフであれば、その操作を無視して電源３３のオンまたはオフの操作を実行しない。逆に、検知信号受信前の電源３３の状態がオンであればその操作を実行する。この操作の実行によって電源３３はオフ状態になる。リモコン２または映像情報記録再生装置１の操作が電源操作以外の操作であった場合は、操作信号に従って機器を動作する。
【００３１】
そして、受信前電源状態記憶部３５と検知信号受信記憶部３４の記憶を消去し、タイマ３６を零に初期化してその動作を停止させる。
【００３２】
タイマ３６のタイムアップ時までに再度検知信号を受信した場合は、上述の映像情報記録再生装置１の動作を再度実施する。
【００３３】
図６は、リモコン２内のタイマ２２と映像情報記録再生装置１のタイマ３６のタイムアップの設定時間の関係を示す図であり、映像情報記録再生装置１のタイマ３６の設定時間は、リモコン２のタイマ２２の設定時間よりも長い。したがって、リモコン２が検知信号送信可能状態に復帰し、しかも映像情報記録再生装置１が検知信号再受信で経過時間のみ零にリセットできる時間を設けることができる。これにより、ユーザーがリモコンを持ち続けて、操作しない状態がタイマ２２の設定時間よりも長くなっても、映像情報記録再生装置１のタイマ３６の経過時間が零にリセットされ、ＯＮ状態が維持されるという効果がある。
【００３４】
ユーザーが長期間リモコン２を使用しない場合や、リモコン２の接触センサ３を利用したくない場合に備える目的で、接触センサ３の動作を実行または停止するための切り替えスイッチをリモコン２に備えてもよい。また、同じ目的で映像情報記録再生装置１に検知信号受信記憶部３４や受信前電源状態記憶部３５の動作を実行または停止するための切り替えスイッチを備えても良い。これにより、接触センサの機能が不要な場合に消費電力を低減することができる。
【００３５】
上記の構成では、ユーザーがリモコン２に接触したことを検知するセンサは接触センサ３としているが、その他に、傾斜センサ、加速度センサ、光センサ、プッシュセンサ、温度センサなどでもよい。
【００３６】
また、リモコンホルダ１０を設置して、ユーザーがリモコン２を使用する時にリモコンホルダ１０から取り出す操作が必要となるようにすれば、ユーザーがリモコン２に接触したことの検知が確実となる。その際、例えば図７に示すように、操作するユーザーがリモコンを取り出し易いように指の挿入部分をリモコンホルダ１０に設けたり、図に示していないが、リモコンホルダ１０とリモコン２をマグネットによる着脱式とすることで、ユーザーがリモコンに接触したことの検知がより確実になる。
【００３７】
図８は、本発明の映像情報記録再生装置１の接触信号を受信した際の動作を説明するためのフロー図である。まず、映像情報記録再生装置１がリモコン２から送信された検知信号を受信する（Ｓ２１）。次に、検知信号を受信したことを示す検知信号受信フラッグが検知信号受信記憶部３４でＯＮであるかＯＦＦであるかを確認し、判断する（Ｓ２２）。ここで、検知信号受信フラッグがＯＮの状態とは検知信号受信記憶部３４が検知信号を受信している状態であり、ＯＦＦの状態とは受信していない状態であることを示す。
【００３８】
検知信号受信フラグがＯＦＦの場合（ＮＯの場合）は、検知信号受信フラッグをＯＮとし（Ｓ２４）、受信前の電源状態を確認して受信前電源状態を受信前電源状態記憶部３５に記憶する（Ｓ２５）。そして、タイマ３６の経過時間を零にリセットして（Ｓ２６）、経過時間の計測を開始する（Ｓ２７）。検知信号受信フラッグが既にＯＮの場合、すなわちＳ２２でＹＥＳの場合、タイマ３６の経過時間を零にする（Ｓ２３）。そして、Ｓ２１に戻る。
【００３９】
図９は、本発明の映像情報記録再生装置１が検知信号受信フラッグと受信前電源状態記憶部３５の記憶に従って、電源を制御する動作を説明するためのフロー図である。まず、検知信号受信フラッグがＯＮかどうかを判断する（Ｓ４１）。フラッグがＯＦＦの場合（ＮＯの場合）、Ｓ４１に戻る。フラッグがＯＮの場合（ＹＥＳの場合）、受信前電源状態を確認する（Ｓ４２）。
【００４０】
受信前電源状態がＯＦＦの場合（ＮＯの場合）は電源をＯＮにし（Ｓ４３）、電源がＯＮの場合は（ＹＥＳの場合）無処理とし、次に進み、タイムアップ判断する（Ｓ４４）。タイムアップしていない場合（ＮＯの場合）、リモコン操作信号の受信または本体の操作があったかどうかの判断を行う（Ｓ４５）。リモコン操作信号の受信と本体操作のいずれもなかった場合は、Ｓ４４に戻る。リモコン操作信号の受信または本体の操作があった場合は(ＹＥＳの場合)、受信前電源状態を確認する（Ｓ４９）。
【００４１】
Ｓ４９で受信前電源の状態がＯＦＦであれば（ＹＥＳの場合）、リモコン操作信号の受信または本体の操作がリモコンの電源操作または本体の電源ボタン操作であるかどうかを判断し（Ｓ５０）、リモコンの電源操作または本体の電源ボタン操作である場合（ＹＥＳの場合）、操作をせず無視し（Ｓ５１）、それ以外の操作である場合（ＮＯの場合）、リモコンの操作または本体のボタン操作に従って操作する（Ｓ５２）。
【００４２】
Ｓ４９で受信前電源の状態がＯＮであれば（ＮＯの場合）、リモコンの操作または本体のボタン操作に従って操作する（Ｓ５２）。その後、検知信号受信フラッグをＯＦＦとし、受信前電源状態記憶を消去し、タイマ３６の経過時間を零にリセットして経過時間の計測を停止して（Ｓ４８）、Ｓ４１に戻る。
【００４３】
タイムアップした場合、すなわちＳ４４でＹＥＳの場合、受信前電源の状態がＯＮかどうかを確認する（Ｓ４６）。ＯＦＦである場合（ＮＯの場合）、電源をＯＦＦする（Ｓ４７）。ＯＮである場合（ＹＥＳの場合）、無処理とする。その後、検知信号受信フラッグをＯＦＦとし、受信前電源状態記憶を消去し、タイマ３６の経過時間を零にリセットして経過時間の計測を停止して（Ｓ４８）、Ｓ４１に戻る。
【００４４】
実施の形態２．
図１０は、本発明の実施の形態２による映像情報記録再生システムの構成例を示す図である。映像情報記録再生システムは、図１１の映像情報記録再生装置１０１とリモコン２で構成される。映像情報記録再生装置１０１には、映像表示装置９が接続されている。映像表示装置９がデジタル映像表示装置であって、映像情報記録再生装置ＳＣＡＲＴケーブルやＨＤＭＩケーブルで接続されている場合、通常、映像情報記録再生装置１の電源オン・オフに呼応して映像表示装置９の電源がオン・オフする設定が可能である。
【００４５】
この映像情報記録再生装置１０１には、操作ボタンあるいは記録メディアドライブ８の付近に人感センサ６が設置されている。人感センサ６は、感知最大距離が所定の距離、例えば６０ｃｍの距離の人感センサ検知エリア７でユーザーの存在を検知するため、遠くにいるユーザーは検知しない。従って、映像情報記録再生装置１０１を直接操作する、あるいは、記録メディア５を記録メディアドライブ８に装着するなどの操作のために接近した場合など、ユーザーが装置に近接した場合にユーザーを検知する。
【００４６】
以下、図１０、図１１にもとづいて映像情報記録再生システムの動作について説明する。まず、記録メディア５を映像情報再生装置１０１に装着するためにユーザーが映像情報記録再生装置１０１に接近すると、これを人感センサ６が検知し、ユーザーの接近を検知したことを示す検知信号を生成する。この検知信号を映像情報記録再生装置１０１の制御部３２が受信すると、受信したことを検知信号受信記憶部３４が記憶し、受信前の映像情報記録装置１０１の電源状態を受信前電源状態記憶部３５が記憶する。
【００４７】
さらに、タイムアップするまでの時間を予め設定されたタイマ３６を動作させる。タイムアップの時間は、例えば３５秒と設定する。そして、受信前の映像情報記録装置の電源がオフの場合、電源をオンする。受信前の映像情報記録装置の電源がオンの場合、電源オンの状態を維持する。
【００４８】
タイマ３６のタイムアップ時までリモコン２や映像情報記録再生装置１に設置された操作ボタンによる何らかの操作がない場合、タイムアップ後、検知信号受信前の電源状態に復帰させる。（電源オンの場合、電源オンを維持、電源オフの場合、電源をオフする。）さらに、検知信号受信記憶部３４と受信前電源状態記憶部３５の記憶を消去し、タイマ３６を初期化して止める。すなわち、経過時間を零にリセットして経過時間の計測を停止する。
【００４９】
タイマ３６のタイムアップ時までリモコン２や映像情報記録再生装置１に設置された操作ボタンによる何らかの操作があり、その操作が電源操作であった場合、検知信号受信前の電源の状態がオフであればその操作を無視して実行せず、検知信号受信前の電源の状態がオンであればその操作を実行して電源オフする。前記の操作が電源操作以外の操作であった場合は、その操作の信号に従って機器を動作する。さらに、検知信号受信記憶部３４と受信前電源状態記憶部３５の記憶を消去し、タイマ３６を初期化して止める。
【００５０】
タイマ３６のタイムアップ時まで再度検知信号を受信した場合は、タイマ初期化する。その後の動作は、前述の実施の形態１の場合と同じである。
【００５１】
なお、ユーザーが、長期間に亘ってリモコンを使用しない場合やセンサを使用したくない場合に消費電力を抑える目的で、人感センサ６の動作を実行または停止するための切り替えスイッチを映像情報記録再生装置１０１または人感センサ６に備えても良い。また、同じ目的で映像情報記録再生装置１０１に検知信号受信記憶部３４や受信前電源状態記憶部３５の動作を実行または停止を選択するための切り替えスイッチを備えても良い。これにより、接触センサの機能が不要な場合に消費電力を低減することができる。
【００５２】
本発明の映像情報記録再生装置１０１の人感センサ６の検知信号を受信した際の処理動作例は、実施の形態１において説明した図８と同じである。また、本実施例の映像情報記録再生装置１０１が人感センサの検知信号受信フラッグと受信前電源状態の記憶に従って、電源を制御する動作例は、実施の形態１において説明した図９と同じである。
【００５３】
実施の形態３．
図１２、図１３は、本発明の実施の形態３による映像情報記録再生システムの構成例を示す図である。この場合、リモコン２の接触センサ検知信号と人感センサの検知信号を同じ種類の検知信号として取り扱うことで、実施の形態１と実施の形態２の両方を併せて実施することができる。
【図面の簡単な説明】
【００５４】
【図１】本発明の実施の形態１における映像情報記録再生システムの構成図である。
【図２】本発明の実施の形態１におけるリモコンの外観図である。
【図３】本発明の実施の形態１におけるモコンの内部構成の図である。
【図４】本発明の実施の形態１におけるリモコンの動作を説明するための図である。
【図５】本発明の実施の形態１における映像情報記録再生装置の内部構成の図である。
【図６】本発明の実施の形態１におけるリモコン内のタイマと映像情報記録再生装置内のタイマとの設定時間の関係を示す図である。
【図７】本発明の実施の形態１におけるリモコンとリモコンホルダの図である。
【図８】本発明の実施の形態１における映像情報記録再生装置が接触信号を受信した際の動作を説明するための図である。
【図９】本発明の実施の形態１における映像情報記録再生装置が電源を制御する動作を説明するための図である。
【図１０】本発明の実施の形態２における映像情報記録再生システムの構成図である。
【図１１】本発明の実施の形態２における映像情報記録再生装置の内部構成の図である。
【図１２】本発明の実施の形態３における映像情報記録再生システムの構成図である。
【図１３】本発明の実施の形態３における映像情報記録再生装置の内部構成の図である。
【符号の説明】
【００５５】
１、１０１  映像情報記録再生装置
２  遠隔操作装置（リモコン）
３  接触センサ
６  人感センサ
２２  タイマ（リモコン内）
２３  送信部
３１  受信部
３３  電源
３４  検知信号受信記憶部
３５  受信前電源状態記憶部
３６  タイマ（映像情報記録再生装置内）
【図１】
2010140520.tif 000003
【図２】
2010140520.tif 000004
【図３】
2010140520.tif 000005
【図４】
2010140520.tif 000006
【図５】
2010140520.tif 000007
【図６】
2010140520.tif 000008
【図７】
2010140520.tif 000009
【図８】
2010140520.tif 000010
【図９】
2010140520.tif 000011
【図１０】
2010140520.tif 000012
【図１１】
2010140520.tif 000013
【図１２】
2010140520.tif 000014
【図１３】
2010140520.tif 000015